(57)【要約】【課題】表示領域のフリッカおよび焼き付きを軽減できる電気光学装置および電子機器を提供すること。【解決手段】電気光学装置１は、走査線と、データ線と、走査線とデータ線との交差に対応して設けられた画素と、を備える。画素は、画素電極と、画素電極に対向する共通電極と、走査線に選択電圧が印加されたときにデータ線と画素電極とを導通状態にするＴＦＴと、を有する。電気光学装置１は、走査線を所定の順番で選択する選択電圧を供給する走査線駆動回路３０と、走査線が選択された際に、データ線に画像信号を供給するデータ線駆動回路４０と、を備える。走査線駆動回路３０は、選択電圧として、第１電圧を第１の期間において供給し、第１の期間の終了から所定の第２の期間において第１電圧よりも低く画像信号の振幅よりも高い第２電圧を供給する。【選択図】図１
2007212605.tif 000002
【特許請求の範囲】
【請求項１】
複数の走査線と、複数のデータ線と、前記走査線と前記データ線との交差に対応して設けられた複数の画素と、を備える電気光学装置であって、
前記画素は、画素電極と、当該画素電極に対向する共通電極と、前記走査線に選択電圧が印加されたときに前記データ線と前記画素電極とを導通状態にするスイッチング素子と、を有し、
前記走査線を所定の順番で選択する前記選択電圧を供給する走査線駆動回路と、
前記走査線が選択された際に、前記データ線に画像信号を供給するデータ線駆動回路と、を備え、
前記走査線駆動回路は、前記選択電圧として、第１電圧を第１の期間において供給し、当該第１の期間の終了から所定の第２の期間において当該第１電圧よりも低く前記画像信号の振幅よりも高い第２電圧を供給することを特徴とする電気光学装置。
【請求項２】
請求項１に記載の電気光学装置において、
前記走査線駆動回路は、前記第２電圧の電位を調整することを特徴とする電気光学装置。
【請求項３】
請求項１または２に記載の電気光学装置において、
前記走査線駆動回路は、前記第２の期間を調整することを特徴とする電気光学装置。
【請求項４】
複数の走査線と、複数のデータ線と、前記走査線と前記データ線との交差に対応して設けられた複数の画素と、を備え、全画面を表示する全画面表示モードと、前記全画面における一部の領域を表示領域とし、他の領域を非表示領域とする部分表示モードとが選択可能な電気光学装置であって、
前記画素は、画素電極と、当該画素電極に対向する共通電極と、前記走査線に選択電圧が印加されたときに前記データ線と前記画素電極とを導通状態にするスイッチング素子と、を有し、
前記走査線を所定の順番で選択する前記選択電圧を供給する走査線駆動回路と、
前記走査線が選択された際に、前記データ線に画像信号を供給するデータ線駆動回路と、を備え、
前記走査線駆動回路は、前記選択電圧として、前記全画面表示モードでは第１電圧を供給し、前記部分表示モードでは前記第１電圧を第１の期間において供給し、当該第１の期間の終了から所定の第２の期間において当該第１電圧よりも低い第２電圧を供給することを特徴とする電気光学装置。
【請求項５】
請求項４に記載の電気光学装置において、
前記データ線駆動回路は、前記走査線が選択された際に、前記共通電極に印加される電圧よりも高い電圧で前記データ線に画像信号を供給する正極性書込と、前記共通電極に印加される電圧よりも低い電圧で前記データ線に画像信号を供給する負極性書込とを交互に行うことを特徴とする電気光学装置。
【請求項６】
請求項５に記載の電気光学装置において、
前記全画面表示モードにおいて、前記データ線駆動回路は、前記共通電極に印加される電圧よりも高い所定の電圧を基準として、前記データ線に対して正極性および負極性の画像信号を交互に供給するとともに、前記部分表示モードでは、前記データ線駆動回路は、前記共通電極に印加される電圧を基準として、前記データ線に対して正極性および負極性の画像信号を交互に供給することを特徴とする電気光学装置。
【請求項７】
請求項４乃至６のいずれか１項に記載の電気光学装置において、
前記走査線駆動回路は、前記第２電圧の電位を前記画像信号の振幅より大きい範囲で調整することを特徴とする電気光学装置。
【請求項８】
請求項４乃至７のいずれか１項に記載の電気光学装置において、
前記走査線駆動回路は、前記第２の期間を調整することを特徴とする電気光学装置。
【請求項９】
請求項１乃至８のいずれか１項に記載の電気光学装置において、
前記第１電圧および前記第２電圧を生成する電源回路をさらに備え、
前記電源回路は、入力される電圧を昇圧して、前記第１電圧および前記第２電圧を生成するチャージポンプ回路を備えることを特徴とする電気光学装置。
【請求項１０】
請求項１乃至９のいずれか１項に記載の電気光学装置を備えたことを特徴とする電子機器。
【発明の詳細な説明】
【技術分野】
【０００１】
本発明は、電気光学装置および電子機器に関する。
【背景技術】
【０００２】
従来より、画像を表示する液晶表示装置などの電気光学装置が知られている。このような電気光学装置は、例えば、以下のような構成である。
【０００３】
電気光学装置は、液晶パネルと、この液晶パネルを駆動する液晶駆動回路と、この液晶駆動回路を制御するコントロール回路と、を備える。液晶駆動回路は、走査線駆動回路と、データ線駆動回路と、液晶駆動用電源回路と、を備える。
【０００４】
液晶パネルは、後述するスイッチング素子としての薄膜トランジスタ（以降、ＴＦＴと呼ぶ）がマトリクス状に配置された素子基板と、この素子基板に対向配置された対向基板と、素子基板および対向基板の間に設けられた電気光学物質としての液晶と、から構成される。
【０００５】
素子基板は、所定間隔おきに設けられた複数の走査線と、これら走査線に略直交し所定間隔おきに設けられた複数のデータ線と、複数の走査線と略平行かつ交互に設けられた容量線と、を備える。
【０００６】
各走査線と各データ線との交差部分には、画素が設けられている。この画素は、上述のＴＦＴのほか、画素電極、およびこの画素電極に一端が接続され他端が容量線に接続された蓄積容量を備える。この画素は、マトリクス状に複数配列されて表示領域を形成する。
ＴＦＴのゲートには、走査線が接続され、ＴＦＴのソースには、データ線が接続され、ＴＦＴのドレインには、画素電極および蓄積容量が接続されている。
【０００７】
対向基板には、複数の走査線と略平行に複数のコモン線が設けられている。また、対向基板には、画素電極に対向して共通電極が形成されており、これら共通電極は、コモン線に接続されている。
【０００８】
以上の電気光学装置は、以下のように動作する。すなわち、選択電圧を線順次で供給することで、所定の走査線に係る画素を全て選択する。そして、この画素の選択に同期して、データ線に画像信号を供給する。これにより、選択電圧で選択した全ての画素に画像信号が供給されて、画像データが画素電極に書き込まれる。
【０００９】
この電気光学装置では、共通電極の電圧を基準電圧として、この共通電極の電圧よりも高い電圧でデータ線に画像信号を供給する正極性書込と、共通電極の電圧よりも低い電圧でデータ線に画像信号を供給する負極性書込と、を交互に行う。
【００１０】
画素の画素電極に画像信号が書き込まれると、この画素電極と共通電極との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量により、画像信号が書き込まれる期間よりも３桁も長い期間に亘って保持される。
【００１１】
ここで、以上の電気光学装置では、ＴＦＴのゲート−ドレイン間およびソース−ドレイン間に、それぞれ、寄生容量が生じる。ＴＦＴのゲート電圧がオフになると、蓄積容量に蓄積された電荷と、画素電極および共通電極による画素容量に蓄積された電荷とが、寄生容量を含んで再分配される。その結果、画素電極の電圧が低下する、いわゆるプッシュダウンが生じる。
【００１２】
このプッシュダウンは、正極性書込においても、また、負極性書込においても、常に生じる。そして、このプッシュダウンにより低下する画素電極の電圧（以降、プッシュダウン電圧と呼ぶ）は、走査線駆動回路に近くなるにしたがって高くなる。そのため、表示領域の各画素におけるプッシュダウン電圧が不均一になる。よって、各画素において液晶に印加される電圧の平均値が一定にならないため、表示領域にフリッカが生じる。
【００１３】
この問題を解決するため、フィルタを用いて表示領域のフリッカを軽減する電気光学装置がある（例えば、特許文献１参照）。
すなわち、特許文献１の電気光学装置では、低域通過フィルタおよび高域通過フィルタを走査線駆動回路と画素との間に設け、走査線駆動回路から供給される選択電圧の周波数のうち低域通過フィルタと高域通過フィルタとに共通するもののみを、各画素に供給する。
これにより、各画素に供給される選択電圧の周波数帯域を狭くして、各画素におけるプッシュダウン電圧を均一化し、表示領域のフリッカを軽減する。
【特許文献１】特開平７−５６５３１号公報
【発明の開示】
【発明が解決しようとする課題】
【００１４】
ところで、上述のプッシュダウンが生じると、画像信号の中心電圧Ｖｃは、プッシュダウン電圧の分だけ共通電極の電圧よりも低くなる。このため、プッシュダウン電圧が常に液晶に印加され、表示領域に焼き付きが生じてしまうおそれがある。
上述の特許文献１で示された電気光学装置は、各画素におけるプッシュダウン電圧を均一化してフリッカを軽減するが、プッシュダウン電圧を低減する構成ではない。このため、プッシュダウン電圧が液晶に印加されることに変わりはなく、表示領域の焼き付きを軽減できない。
【００１５】
本発明は、表示領域のフリッカおよび焼き付きを軽減できる電気光学装置および電子機器を提供することを目的とする。
【課題を解決するための手段】
【００１６】
本発明の電気光学装置は、複数の走査線と、複数のデータ線と、前記走査線と前記データ線との交差に対応して設けられた複数の画素と、を備える電気光学装置であって、前記画素は、画素電極と、当該画素電極に対向する共通電極と、前記走査線に選択電圧が印加されたときに前記データ線と前記画素電極とを導通状態にするスイッチング素子と、を有し、前記走査線を所定の順番で選択する前記選択電圧を供給する走査線駆動回路と、前記走査線が選択された際に、前記データ線に画像信号を供給するデータ線駆動回路と、を備え、前記走査線駆動回路は、前記選択電圧として、第１電圧を第１の期間において供給し、当該第１の期間の終了から所定の第２の期間において当該第１電圧よりも低く前記画像信号の振幅よりも高い第２電圧を供給することを特徴とする。
【００１７】
この発明によれば、電気光学装置は、走査線駆動回路により、選択電圧として、第１電圧を第１の期間において供給し、この第１の期間の終了から所定の第２の期間において第１電圧よりも低く画像信号の振幅よりも高い第２電圧を供給する。すなわち、第１電圧がスイッチング素子に印加された状態では、このスイッチング素子が導通状態になり、画像信号による画像データが画素電極に書き込まれる。これに対し、第２電圧がスイッチング素子に印加された状態では、このスイッチング素子が導通状態と非導通状態との中間の半導通状態になる。この場合、導通状態から半導通状態に変化する際、プッシュダウンが生じて画素電極の電圧が低下するが、スイッチング素子が半導通状態である期間に、この画素電極の電圧を回復できる。したがって、最終的なプッシュダウン電圧を低減できるから、表示領域のフリッカや焼き付きを軽減できる。
【００１８】
本発明の電気光学装置では、前記走査線駆動回路は、前記第２電圧の電位を調整することが好ましい。
【００１９】
この発明によれば、走査線駆動回路により、走査線に供給する第２電圧の電位を調整した。これにより、第２電圧によるスイッチング素子の半導通状態のレベルを調整できるので、プッシュダウン電圧を確実に低減できる。
【００２０】
本発明の電気光学装置では、前記走査線駆動回路は、前記第２の期間を調整することが好ましい。
【００２１】
この発明によれば、走査線駆動回路により、第２の期間、すなわち第２電圧を走査線に供給する期間を調整した。これにより、第１電圧によるスイッチング素子の導通状態と、第２電圧によるスイッチング素子の半導通状態とのバランスを調整できるので、プッシュダウン電圧を確実に低減できる。
【００２２】
本発明の電気光学装置は、複数の走査線と、複数のデータ線と、前記走査線と前記データ線との交差に対応して設けられた複数の画素と、を備え、全画面を表示する全画面表示モードと、前記全画面における一部の領域を表示領域とし、他の領域を非表示領域とする部分表示モードとが選択可能な電気光学装置であって、前記画素は、画素電極と、当該画素電極に対向する共通電極と、前記走査線に選択電圧が印加されたときに前記データ線と前記画素電極とを導通状態にするスイッチング素子と、を有し、前記走査線を所定の順番で選択する前記選択電圧を供給する走査線駆動回路と、前記走査線が選択された際に、前記データ線に画像信号を供給するデータ線駆動回路と、を備え、前記走査線駆動回路は、前記選択電圧として、前記全画面表示モードでは第１電圧を供給し、前記部分表示モードでは前記第１電圧を第１の期間において供給し、当該第１の期間の終了から所定の第２の期間において当該第１電圧よりも低い第２電圧を供給することを特徴とする。
【００２３】
この発明によれば、部分表示モードにおいて、電気光学装置は、走査線駆動回路により、選択電圧として、第１電圧を第１の期間において供給し、この第１の期間の終了から所定の第２の期間において第１電圧よりも低い第２電圧を供給する。すなわち、第１電圧がスイッチング素子に印加された状態では、このスイッチング素子が導通状態になり、画像信号による画像データが画素電極に書き込まれる。これに対し、第２電圧がスイッチング素子に印加された状態では、このスイッチング素子が導通状態と非導通状態との中間の半導通状態になる。この場合、導通状態から半導通状態に変化する際、プッシュダウンが生じて画素電極の電圧が低下するが、スイッチング素子が半導通状態である期間に、この画素電極の電圧を回復できる。したがって、部分表示モードにおける最終的なプッシュダウン電圧を低減できるから、表示領域のフリッカや焼き付きを軽減できる。
【００２４】
本発明の電気光学装置では、前記データ線駆動回路は、前記走査線が選択された際に、前記共通電極に印加される電圧よりも高い電圧で前記データ線に画像信号を供給する正極性書込と、前記共通電極に印加される電圧よりも低い電圧で前記データ線に画像信号を供給する負極性書込とを交互に行うことが好ましい。
【００２５】
この発明によれば、電気光学装置は、走査線駆動回路により、走査線に選択電圧を線順次で供給しつつ、データ線駆動回路により、共通電極の電圧よりも高い電圧でデータ線に画像信号を供給する正極性書込と、共通電極の電圧よりも低い電圧でデータ線に画像信号を供給する負極性書込と、を交互に行う。よって、電気光学物質に印加する電圧の極性を反転できるので、電気光学物質の配列を所定期間ごとに変化させて、表示領域の焼き付きをさらに軽減できる。
【００２６】
本発明の電気光学装置では、前記全画面表示モードにおいて、前記データ線駆動回路は、前記共通電極に印加される電圧よりも高い所定の電圧を基準として、前記データ線に対して正極性および負極性の画像信号を交互に供給するとともに、前記部分表示モードでは、前記データ線駆動回路は、前記共通電極に印加される電圧を基準として、前記データ線に対して正極性および負極性の画像信号を交互に供給することが好ましい。
【００２７】
この発明によれば、全画面表示モードにおいて、電気光学装置は、走査線駆動回路により、走査線に選択電圧を線順次で供給しつつ、データ線駆動回路により、共通電極に印加される電圧よりも高い所定の電圧を基準としてデータ線に対して正極性および負極性の画像信号を交互に供給する。このため、データ線駆動回路により、共通電極に印加される電圧より最終的なプッシュダウン電圧の分だけ高い電圧を基準として、データ線に対して正極性および負極性の画像信号を交互に供給することで、画像信号の中心電圧Ｖｃを最終的なプッシュダウン電圧の分だけ共通電極の電圧より高くできる。よって、全画面表示モードでは、表示領域のフリッカや焼き付きを軽減できる。
一方、部分表示モードにおいて、電気光学装置は、走査線駆動回路により、走査線に選択電圧を線順次で供給しつつ、データ線駆動回路により、共通電極に印加される電圧を基準としてデータ線に対して正極性および負極性の画像信号を交互に供給する。よって、共通電極に印加される電圧と、画像信号の電圧と、が同一となるので、非表示領域では、消費電力を低減できる。
【００２８】
本発明の電気光学装置では、前記走査線駆動回路は、前記第２電圧の電位を前記画像信号の振幅より大きい範囲で調整することが好ましい。
この発明によれば、走査線駆動回路により、走査線に供給する第２電圧の電位を画像信号の振幅より大きい範囲で調整した。これにより、第２電圧によるスイッチング素子の導通状態のレベルを調整できるので、プッシュダウン電圧を確実に低減できる。
【００２９】
本発明の電気光学装置では、前記走査線駆動回路は、前記第２の期間を調整することが好ましい。
この発明によれば、上述した効果と同様の効果がある。
【００３０】
本発明の電気光学装置では、前記第１電圧および前記第２電圧を生成する電源回路をさらに備え、前記電源回路は、入力される電圧を昇圧して、前記第１電圧および前記第２電圧を生成するチャージポンプ回路を備えることが好ましい。
【００３１】
この発明によれば、電気光学装置に、第１電圧および第２電圧を生成するチャージポンプ回路を有する電源回路を設けた。このため、電気光学装置は、この電源回路が１つあれば、第１電圧および第２電圧を生成できる。したがって、第１電圧を生成する電源回路と、第２電圧を生成する電源回路と、の２つの電源回路を必要とする場合と比べて、回路規模や消費電力を削減できる場合がある。
【００３２】
本発明の電子機器は、上述の電気光学装置を備えたことを特徴とする。
この発明によれば、上述した効果と同様の効果がある。
【発明を実施するための最良の形態】
【００３３】
以下、本発明の実施形態を図面に基づいて説明する。なお、以下の実施形態および変形例の説明にあたって、同一構成要件については同一符号を付し、その説明を省略もしくは簡略化する。
＜第１実施形態＞
図１は、本発明の第１実施形態に係る電気光学装置１の構成を示すブロック図である。
電気光学装置１は、液晶パネルＡＡと、この液晶パネルＡＡを駆動する液晶駆動回路１０と、この液晶駆動回路１０を制御するコントロール回路２０と、を備える。液晶駆動回路１０は、走査線駆動回路３０と、データ線駆動回路４０と、液晶駆動用電源回路５０と、を備える。
【００３４】
図２は、液晶パネルＡＡの部分拡大平面図である。
液晶パネルＡＡは、後述するスイッチング素子としての薄膜トランジスタ（以降、ＴＦＴと呼ぶ）１５１がマトリクス状に配置された素子基板１００と、この素子基板１００に対向配置された対向基板２００と、素子基板１００および対向基板２００の間に設けられた電気光学物質としての液晶と、から構成されている（図１参照）。
上述の液晶駆動回路１０は、シリコン基板上に形成され、ＣＯＧ（Chip  On  Glass）などで液晶パネルＡＡの基板上に実装されている。
【００３５】
素子基板１００は、所定間隔おきに設けられた複数の走査線１１０と、これら走査線１１０に略直交し所定間隔おきに設けられた複数のデータ線１２０と、複数の走査線１１０と略平行かつ交互に設けられた容量線１４０と、を備える。なお、図２中、走査線１１０のうち上から順に、走査線１１０Ａ、１１０Ｂ、１１０Ｃとし、データ線１２０のうち左から順に、データ線１２０Ａ、１２０Ｂとする。
【００３６】
各走査線１１０と各データ線１２０との交差部分には、画素１５０が設けられている。この画素１５０は、上述のＴＦＴ１５１のほか、画素電極１５５、およびこの画素電極１５５に一端が接続され他端が容量線１４０に接続された蓄積容量１５３を備える。
ＴＦＴ１５１のゲートには、走査線１１０が接続され、ＴＦＴ１５１のソースには、データ線１２０が接続され、ＴＦＴ１５１のドレインには、画素電極１５５および蓄積容量１５３が接続されている。このＴＦＴ１５１は、走査線１１０からの選択電圧に応じて、データ線１２０を画素電極１５５および蓄積容量１５３に断続する。
【００３７】
対向基板２００には、複数の走査線１１０と略平行に複数のコモン線１３０が設けられている。また、対向基板２００には、画素電極１５５に対向して共通電極１５６が形成されており、これら共通電極１５６は、コモン線１３０に接続されている。
【００３８】
走査線駆動回路３０は、選択電圧として、ＴＦＴ１５１を導通状態にする第１電圧、またはＴＦＴ１５１を半導通状態にする第２電圧を各走査線１１０に線順次で供給する。
例えば、ある走査線１１０に、選択電圧として第１電圧が供給されると、この走査線１１０に接続されたＴＦＴ１５１が全て導通状態になり、この走査線１１０に係る画素１５０の画素電極１５５および蓄積容量１５３と、データ線１２０とが導通状態になる。また、ある走査線１１０に、選択電圧として第２電圧が供給されると、この走査線１１０に接続されたＴＦＴ１５１が全て半導通状態になり、この走査線１１０に係る画素１５０の画素電極１５５および蓄積容量１５３と、データ線１２０とが半導通状態になる。
【００３９】
データ線駆動回路４０は、画像信号を各データ線１２０に供給し、導通状態または半導通状態のＴＦＴ１５１を介して、画素１５０の画素電極１５５に画像データを順次書き込む。
【００４０】
コントロール回路２０は、画像データ変換部２１を備える。
画像データ変換部２１は、入力された画像信号を、最終的なプッシュダウン電圧の分だけ昇圧して、データ線駆動回路４０に出力する。
【００４１】
以上の電気光学装置１は、以下のように動作する。
走査線駆動回路３０は、選択電圧として、第１電圧または第２電圧を走査線１１０に線順次で供給することで、１本の走査線１１０に係る画素１５０をまとめて選択する。この画素１５０の選択に同期して、データ線駆動回路４０は、データ線１２０に画像信号を供給する。これにより、走査線駆動回路３０で選択した全ての画素に画像信号が供給されて、画像データが画素電極１５５に書き込まれる。
【００４２】
画素電極１５５に画像データが書き込まれると、画素電極１５５と共通電極１５６との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量１５３により、画像信号が書き込まれる期間よりも３桁も長い期間に亘って保持される。
【００４３】
図３は、電気光学装置１のタイミングチャートである。
図３において、ＧＡＴＥ１は走査線１１０Ａの電圧であり、ＤＡＴＡ１はデータ線１２０Ａの電圧であり、ＰＩＸ１は走査線１１０Ａとデータ線１２０Ａとの交差部分に設けられた画素電極１５５の電圧である。また、ＶＣＯＭは共通電極１５６の電圧であり、Ｖｃは画像信号の最小値である。
また、図３において、ＧＡＴＥ１Ａ、ＤＡＴＡ１Ａ、ＰＩＸ１Ａは、それぞれ、従来の電気光学装置の走査線、データ線、走査線およびデータ線の交差部分に設けられた画素電極の電圧である。
また、図３において、電圧ＶＰ１および電圧ＶＰ２の電位差と、電圧ＶＰ２および電圧ＶＰ３の電位差と、電圧ＶＰ３および電圧ＶＰ４の電位差と、電圧ＶＰ４および電圧ＶＰ５の電位差とは、同じである。
なお、図３においては、理解を容易にするため、同じ階調で書き込んでいる。
また、画像信号の最小電圧Ｖｃは、共通電極１５６の電圧ＶＣＯＭよりもプッシュダウン電圧分だけ高くなっている。
【００４４】
まず、時刻ｔ１からｔ２までの期間、走査線駆動回路３０により、選択電圧として第１電圧を走査線１１０Ａに供給して、走査線１１０Ａの電圧ＧＡＴＥ１をＶｇＨ１とし、この走査線１１０Ａに係る１水平ラインのＴＦＴ１５１を全て導通状態にする。
同時に、データ線駆動回路４０により、共通電極１５６の電圧ＶＣＯＭよりも高い電圧でデータ線１２０Ａに画像信号を供給して、導通状態のＴＦＴ１５１を介して、画素電極１５５に画像データを書き込む。すると、画素電極１５５の電圧ＰＩＸ１はＶＰ１となり、この電圧ＶＰ１と共通電極１５６の電圧ＶＣＯＭとの電位差が液晶に印加される。
【００４５】
次に、時刻ｔ２において、走査線駆動回路３０により、選択電圧として第２電圧を走査線１１０Ａに供給して、走査線１１０Ａの電圧ＧＡＴＥ１をＶｇＨ２とし、この走査線１１０Ａに係る１水平ラインのＴＦＴ１５１を全て半導通状態にする。ここでＶｇＨ２は、共通電極１５６の電圧ＶＣＯＭを基準とする画像信号ＤＡＴＡ１の振幅より高く、ＶｇＨ１より低い電圧の範囲内で設定される。すると、ＴＦＴ１５１が導通状態から半導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ３となり、この電圧ＶＰ３と共通電極１５６の電圧ＶＣＯＭとの電位差が液晶に印加される。
【００４６】
次に、時刻ｔ２からｔ３までの期間、走査線駆動回路３０により、選択電圧として第２電圧を走査線１１０Ａに供給して、走査線１１０Ａの電圧ＧＡＴＥ１をＶｇＨ２とし、この走査線１１０Ａに係る１水平ラインのＴＦＴ１５１を全て半導通状態にする。
同時に、データ線駆動回路４０により、共通電極１５６の電圧ＶＣＯＭよりも高い電圧でデータ線１２０Ａに画像信号を供給して、半導通状態のＴＦＴ１５１を介して、画素電極１５５および蓄積容量１５３に画像データを書き込む。すると、ＴＦＴ１５１が半導通状態である期間に、画素電極１５５の電圧ＰＩＸ１は回復してＶＰ２となり、この電圧ＶＰ２と共通電極１５６の電圧ＶＣＯＭとの電位差が液晶に印加される。
【００４７】
次に、時刻ｔ３において、走査線駆動回路３０により、走査線１１０Ａの電圧ＧＡＴＥ１をＶｇＬとし、この走査線１１０Ａに係る１水平ラインのＴＦＴ１５１を全て非導通状態にする。すると、ＴＦＴ１５１が半導通状態から非導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ４となり、この電圧ＶＰ４と共通電極１５６の電圧ＶＣＯＭとの電位差が液晶に印加される。
【００４８】
次に、時刻ｔ４からｔ５までの期間、上述の時刻ｔ１からｔ２までの期間と同様に動作する。すると、画素電極１５５の電圧ＰＩＸ１はＶＰ１となり、この電圧ＶＰ１と共通電極１５６の電圧ＶＣＯＭとの電位差が液晶に印加される。
【００４９】
次に、時刻ｔ５において、上述の時刻ｔ２と同様に動作する。すると、画素電極１５５の電圧ＰＩＸ１は低下してＶＰ３となり、この電圧ＶＰ３と共通電極１５６の電圧ＶＣＯＭとの電位差が液晶に印加される。
【００５０】
次に、時刻ｔ５からｔ６までの期間、上述の時刻ｔ２からｔ３までの期間と同様に動作する。すると、ＴＦＴ１５１が半導通状態である期間に、画素電極１５５の電圧ＰＩＸ１は回復してＶＰ２となり、この電圧ＶＰ２と共通電極１５６の電圧ＶＣＯＭとの電位差が液晶に印加される。
【００５１】
次に、時刻ｔ６において、上述の時刻ｔ３と同様に動作する。すると、画素電極１５５の電圧ＰＩＸ１は低下してＶＰ４となり、この電圧ＶＰ４と共通電極１５６の電圧ＶＣＯＭとの電位差が液晶に印加される。
【００５２】
本実施形態によれば、以下のような効果がある。
（１）電気光学装置１は、走査線駆動回路３０により、選択電圧として、図３の時刻ｔ１からｔ２までの期間において第１電圧を供給し、この時刻ｔ１からｔ２までの期間が終了した後、時刻ｔ２からｔ３までの期間において第１電圧よりも低く、かつ、共通電極１５６の電圧ＶＣＯＭを基準とする画像信号ＤＡＴＡ１の振幅より高い第２電圧を供給する。すなわち、第１電圧がＴＦＴ１５１に印加された状態では、このＴＦＴ１５１が導通状態になり、画像信号による画像データが画素電極１５５に書き込まれる。これに対し、第２電圧がＴＦＴ１５１に印加された状態では、このＴＦＴ１５１が導通状態と非導通状態との中間の半導通状態になる。この場合、導通状態から半導通状態に変化する際、すなわち時刻ｔ２において、プッシュダウンが生じて画素電極１５５の電圧ＰＩＸ１がＶＰ１からＶＰ３まで低下する。ところが、ＴＦＴ１５１が半導通状態である時刻ｔ２からｔ３までの期間に、この画素電極１５５の電圧ＰＩＸ１をＶＰ３からＶＰ２まで回復できる。
また、この電気光学装置１は、走査線駆動回路３０により、選択電圧として、図３の時刻ｔ４からｔ５までの期間において第１電圧を供給し、この時刻ｔ４からｔ５までの期間が終了した後、時刻ｔ５からｔ６までの期間において第１電圧よりも低く、かつ、共通電極１５６の電圧ＶＣＯＭを基準とする画像信号ＤＡＴＡ１の振幅より高い第２電圧を供給する。すると、上述の時刻ｔ２と同様に、ＴＦＴ１５１が導通状態から半導通状態に変化する時刻ｔ５において、プッシュダウンが生じて画素電極１５５の電圧ＰＩＸ１がＶＰ１からＶＰ３まで低下する。ところが、上述の時刻ｔ２からｔ３までの期間と同様に、ＴＦＴ１５１が半導通状態である時刻ｔ５からｔ６までの期間に、この画素電極１５５の電圧ＰＩＸ１をＶＰ３からＶＰ２まで回復できる。
したがって、最終的なプッシュダウン電圧を低減できるから、表示領域のフリッカや焼き付きを軽減できる。
【００５３】
＜第２実施形態＞
図４は、本発明の第２実施形態に係る電気光学装置１Ａの構成を示すブロック図である。
電気光学装置１Ａは、液晶駆動回路１０を制御するコントロール回路２０Ａの構成が図１の電気光学装置１と異なる。
【００５４】
コントロール回路２０Ａは、画像データ変換部２１Ａと、表示制御部２２と、を備える。
表示制御部２２は、入力された表示切替信号に基づいて、表示画面の全面を表示領域とする全画面表示モード、および、表示画面の一部の領域を表示領域とし、他の領域を非表示領域とするパーシャル表示モードのうち一方を選択し、この選択した表示モードをモード選択信号として走査線駆動回路３０に出力する。
【００５５】
画像データ変換部２１Ａは、入力された画像信号を、正極性書込または負極性書込に応じて変換する。そして、この変換した画像信号を、全画面表示モードでは、最終的なプッシュダウン電圧の分だけ昇圧して、データ線駆動回路４０に出力する。また、上述の変換した画像信号を、パーシャル表示モードでは、そのままデータ線駆動回路４０に出力する。
【００５６】
以上の電気光学装置１Ａは、全画面表示モードでは、以下のように動作する。
走査線駆動回路３０は、選択電圧として、第１電圧を走査線１１０に線順次で供給することで、１本の走査線１１０に係る画素１５０をまとめて選択する。この画素１５０の選択に同期して、データ線駆動回路４０は、データ線１２０に画像信号を供給する。これにより、走査線駆動回路３０で選択した全ての画素に画像信号が供給されて、画像データが画素電極１５５に書き込まれる。
【００５７】
画素電極１５５に画像データが書き込まれると、画素電極１５５と共通電極１５６との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量１５３により、画像信号が書き込まれる期間よりも３桁も長い期間に亘って保持される。
【００５８】
また、以上の電気光学装置１Ａは、パーシャル表示モードでは、以下のように動作する。
図５は、パーシャル表示モードにおける液晶パネルＡＡの表示画面を示す図である。
パーシャル表示モードでは、液晶パネルＡＡの表示画面７０は、表示領域７１とこの表示領域７１を挟んで設けられた非表示領域７２とに分割される。表示領域７１には電池残量や時刻などが表示され、非表示領域７２には何も表示されない。すなわち、非表示領域７２は、ノーマリーホワイトの場合は、白が表示され、ノーマリーブラックの場合は、黒が表示される。
【００５９】
このようなパーシャル表示モードにおいては、全画面表示モードよりも表示領域が狭くなるが、１フレーム期間は変化しない。そのため、表示領域７１においては、走査線１１０の１本あたりの選択期間が、全画面表示モードにおける走査線１１０の１本あたりの選択期間よりも長くなる。
また、非表示領域７２は、何も表示しないため、表示領域７１に比べて、低い頻度でフレームが更新される。
【００６０】
以下、図６、図７を参照しながら、電気光学装置１Ａの全画面表示モードおよびパーシャル表示モードにおける動作について説明する。
【００６１】
図６は、電気光学装置１Ａの全画面表示モードにおけるタイミングチャートである。
電気光学装置１と対比するため、電気光学装置１Ａの全画面表示モードにおける１水平ラインの選択期間は、上述の電気光学装置１の１水平ラインの選択期間に等しくなっている。具体的には、図６の時刻ｔ１１からｔ１３までの期間は、図３の時刻ｔ１からｔ３までの期間に等しくなっている。
【００６２】
なお、図６においては、理解を容易にするため、正極性書込においても、負極性書込においても、同じ階調で書き込んでいる。
また、この全画面表示モードでは、画像信号の中心電圧Ｖｃは、共通電極１５６の電圧ＶＣＯＭよりもプッシュダウン電圧分だけ高くなっている。
【００６３】
まず、時刻ｔ１１からｔ１３までの期間、正極性書込を行う。すなわち、走査線駆動回路３０により、選択電圧として第１電圧を走査線１１０Ａに供給して、走査線１１０Ａの電圧ＧＡＴＥ１をＶｇＨ１とし、この走査線１１０Ａに係る１水平ラインのＴＦＴ１５１を全て導通状態にする。
同時に、データ線駆動回路４０により、共通電極１５６の電圧ＶＣＯＭよりも高い電圧でデータ線１２０Ａに画像信号を供給して、導通状態のＴＦＴ１５１を介して、画素電極１５５に画像データを書き込む。すると、画素電極１５５の電圧ＰＩＸ１はＶＰ１となり、この電圧ＶＰ１と共通電極１５６の電圧ＶＣＯＭとの電位差が液晶に印加される。
【００６４】
次に、時刻ｔ１３において、走査線駆動回路３０により、走査線１１０Ａの電圧ＧＡＴＥ１をＶｇＬとし、この走査線１１０Ａに係る１水平ラインのＴＦＴ１５１を全て非導通状態にする。すると、ＴＦＴ１５１が半導通状態から非導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ５となり、この電圧ＶＰ５と共通電極１５６の電圧ＶＣＯＭとの電位差が液晶に印加される。
【００６５】
次に、時刻ｔ１４からｔ１６までの期間、負極性書込を行う。すなわち、走査線駆動回路３０により、選択電圧として第１電圧を走査線１１０Ｂに供給して、走査線１１０Ｂの電圧ＧＡＴＥ１をＶｇＨ１とし、この走査線１１０Ｂに係る１水平ラインのＴＦＴ１５１を全て導通状態にする。
同時に、データ線駆動回路４０により、共通電極１５６の電圧ＶＣＯＭよりも低い電圧でデータ線１２０Ａに画像信号を供給して、導通状態のＴＦＴ１５１を介して、画素電極１５５に画像データを書き込む。すると、画素電極１５５の電圧ＰＩＸ１はＶＰ６となり、この電圧ＶＰ６と共通電極１５６の電圧ＶＣＯＭとの電位差が液晶に印加される。
【００６６】
次に、時刻ｔ１６において、走査線駆動回路３０により、走査線１１０Ａの電圧ＧＡＴＥ１をＶｇＬとし、この走査線１１０Ａに係る１水平ラインのＴＦＴ１５１を全て非導通状態にする。すると、ＴＦＴ１５１が半導通状態から非導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１０となり、この電圧ＶＰ１０と共通電極１５６の電圧ＶＣＯＭとの電位差が液晶に印加される。
【００６７】
図７は、電気光学装置１Ａのパーシャル表示モードにおけるタイミングチャートである。
図７において、電圧ＶＰ１１および電圧ＶＰ１２の電位差と、電圧ＶＰ１２および電圧ＶＰ１３の電位差と、電圧ＶＰ１３および電圧ＶＰ１４の電位差と、電圧ＶＰ１４および電圧ＶＰ１５の電位差と、電圧ＶＰ１６および電圧ＶＰ１７の電位差と、電圧ＶＰ１７および電圧ＶＰ１８の電位差と、電圧ＶＰ１８および電圧ＶＰ１９の電位差と、電圧ＶＰ１９および電圧ＶＰ２０の電位差とは、同じである。
また、パーシャル表示モードにおける１水平ラインの選択期間は、全画面表示モードにおける１水平ラインの選択期間の３倍となっている。具体的には、図７の時刻ｔ２１からｔ２２までの期間は、図６の時刻ｔ１１からｔ１３までの期間の２倍に等しく、図７の時刻ｔ２２からｔ２３までの期間は、図６の時刻ｔ１１からｔ１３までの期間に等しくなっている。
【００６８】
なお、図７においては、理解を容易にするため、正極性書込においても、負極性書込においても、同じ階調で書き込んでいる。
また、このパーシャル表示モードでは、画像信号の中心電圧Ｖｃは、共通電極１５６の電圧ＶＣＯＭと等しくなっている。
【００６９】
まず、時刻ｔ２１からｔ２２までの期間、第１の正極性書込を行う。すなわち、走査線駆動回路３０により、選択電圧として第１電圧を走査線１１０Ａに供給して、走査線１１０Ａの電圧ＧＡＴＥ１をＶｇＨ１とし、この走査線１１０Ａに係る１水平ラインのＴＦＴ１５１を全て導通状態にする。
同時に、データ線駆動回路４０により、共通電極１５６の電圧ＶＣＯＭよりも高い電圧でデータ線１２０Ａに画像信号を供給して、導通状態のＴＦＴ１５１を介して、画素電極１５５に画像データを書き込む。すると、画素電極１５５の電圧ＰＩＸ１はＶＰ１１となり、この電圧ＶＰ１１と共通電極１５６の電圧ＶＣＯＭとの電位差が液晶に印加される。
【００７０】
次に、時刻ｔ２２において、走査線駆動回路３０により、選択電圧として第２電圧を走査線１１０Ａに供給して、走査線１１０Ａの電圧ＧＡＴＥ１をＶｇＨ２とし、この走査線１１０Ａに係る１水平ラインのＴＦＴ１５１を全て半導通状態にする。すると、ＴＦＴ１５１が導通状態から半導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１３となり、この電圧ＶＰ１３と共通電極１５６の電圧ＶＣＯＭとの電位差が液晶に印加される。
【００７１】
次に、時刻ｔ２２からｔ２３までの期間、第２の正極性書込を行う。すなわち、走査線駆動回路３０により、選択電圧として第２電圧を走査線１１０Ａに供給して、走査線１１０Ａの電圧ＧＡＴＥ１をＶｇＨ２とし、この走査線１１０Ａに係る１水平ラインのＴＦＴ１５１を全て半導通状態にする。
同時に、データ線駆動回路４０により、共通電極１５６の電圧ＶＣＯＭよりも高い電圧でデータ線１２０Ａに画像信号を供給して、半導通状態のＴＦＴ１５１を介して、画素電極１５５に画像データを書き込む。すると、ＴＦＴ１５１が半導通状態である期間に、画素電極１５５の電圧ＰＩＸ１は回復してＶＰ１２となり、この電圧ＶＰ１２と共通電極１５６の電圧ＶＣＯＭとの電位差が液晶に印加される。
【００７２】
次に、時刻ｔ２３において、走査線駆動回路３０により、走査線１１０Ａの電圧ＧＡＴＥ１をＶｇＬとし、この走査線１１０Ａに係る１水平ラインのＴＦＴ１５１を全て非導通状態にする。すると、ＴＦＴ１５１が半導通状態から非導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１４となり、この電圧ＶＰ１４と共通電極１５６の電圧ＶＣＯＭとの電位差が液晶に印加される。
【００７３】
次に、時刻ｔ２４からｔ２５までの期間、第１の負極性書込を行う。すなわち、走査線駆動回路３０により、選択電圧として第１電圧を走査線１１０Ｂに供給して、走査線１１０Ｂの電圧ＧＡＴＥ２をＶｇＨ１とし、この走査線１１０Ｂに係る１水平ラインのＴＦＴ１５１を全て導通状態にする。
同時に、データ線駆動回路４０により、共通電極１５６の電圧ＶＣＯＭよりも低い電圧でデータ線１２０Ａに画像信号を供給して、導通状態のＴＦＴ１５１を介して、画素電極１５５に画像データを書き込む。すると、画素電極１５５の電圧ＰＩＸ１はＶＰ１６となり、この電圧ＶＰ１６と共通電極１５６の電圧ＶＣＯＭとの電位差が液晶に印加される。
【００７４】
次に、時刻ｔ２５において、走査線駆動回路３０により、選択電圧として第２電圧を走査線１１０Ａに供給して、走査線１１０Ａの電圧ＧＡＴＥ１をＶｇＨ２とし、この走査線１１０Ａに係る１水平ラインのＴＦＴ１５１を全て半導通状態にする。すると、ＴＦＴ１５１が導通状態から半導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１８となり、この電圧ＶＰ１８と共通電極１５６の電圧ＶＣＯＭとの電位差が液晶に印加される。
【００７５】
次に、時刻ｔ２５からｔ２６までの期間、第２の負極性書込を行う。すなわち、走査線駆動回路３０により、選択電圧として第２電圧を走査線１１０Ａに供給して、走査線１１０Ａの電圧ＧＡＴＥ１をＶｇＨ２とし、この走査線１１０Ａに係る１水平ラインのＴＦＴ１５１を全て半導通状態にする。
同時に、データ線駆動回路４０により、共通電極１５６の電圧ＶＣＯＭよりも低い電圧でデータ線１２０Ａに画像信号を供給して、半導通状態のＴＦＴ１５１を介して、画素電極１５５に画像データを書き込む。すると、ＴＦＴ１５１が半導通状態である期間に、画素電極１５５の電圧ＰＩＸ１は回復してＶＰ１６となり、この電圧ＶＰ１６と共通電極１５６の電圧ＶＣＯＭとの電位差が液晶に印加される。
【００７６】
次に、時刻ｔ２６において、走査線駆動回路３０により、走査線１１０Ａの電圧ＧＡＴＥ１をＶｇＬとし、この走査線１１０Ａに係る１水平ラインのＴＦＴ１５１を全て非導通状態にする。すると、ＴＦＴ１５１が半導通状態から非導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１８となり、この電圧ＶＰ１８と共通電極１５６の電圧ＶＣＯＭとの電位差が液晶に印加される。
【００７７】
本実施形態によれば、以下のような効果がある。
（２）電気光学装置１Ａは、パーシャル表示モードにおいて、走査線駆動回路３０により、選択電圧として、図７の時刻ｔ２１からｔ２２までの期間において第１電圧を供給し、この時刻ｔ２１からｔ２２までの期間が終了した後、時刻ｔ２２からｔ２３までの期間において第１電圧よりも低い第２電圧を供給する。すなわち、第１電圧がスイッチング素子に印加された状態では、このＴＦＴ１５１が導通状態になり、画像信号による画像データが画素電極１５５に書き込まれる。これに対し、第２電圧がＴＦＴ１５１に印加された状態では、このＴＦＴ１５１が導通状態と非導通状態との中間の半導通状態になる。この場合、導通状態から半導通状態に変化する際、すなわち時刻ｔ２２において、プッシュダウンが生じて画素電極１５５の電圧ＰＩＸ１がＶＰ１１からＶＰ１３まで低下する。ところが、ＴＦＴ１５１が半導通状態である時刻ｔ２２からｔ２３までの期間に、この画素電極１５５の電圧ＰＩＸ１をＶＰ１３からＶＰ１２まで回復できる。
また、この電気光学装置１Ａは、パーシャル表示モードにおいて、走査線駆動回路３０により、選択電圧として、図７の時刻ｔ２４からｔ２５までの期間において第１電圧を供給し、この時刻ｔ２４からｔ２５までの期間が終了した後、時刻ｔ２５からｔ２６までの期間において第１電圧よりも低い第２電圧を供給する。すると、上述の時刻ｔ２２と同様に、ＴＦＴ１５１が導通状態から半導通状態に変化する時刻ｔ２５において、プッシュダウンが生じて画素電極１５５の電圧ＰＩＸ１がＶＰ１６からＶＰ１８まで低下する。ところが、上述の時刻ｔ２２からｔ２３までの期間と同様に、ＴＦＴ１５１が半導通状態である時刻ｔ２５からｔ２６までの期間に、この画素電極１５５の電圧ＰＩＸ１をＶＰ１８からＶＰ１６まで回復できる。
したがって、パーシャル表示モードにおける最終的なプッシュダウン電圧を低減できるから、表示領域のフリッカや焼き付きを軽減できる。
【００７８】
（３）電気光学装置１は、走査線駆動回路３０により、走査線１１０に選択電圧を線順次で供給しつつ、データ線駆動回路４０により、共通電極１５６の電圧よりも高い電圧でデータ線１２０に画像信号を供給する正極性書込と、共通電極１５６の電圧よりも低い電圧でデータ線１２０に画像信号を供給する負極性書込と、を交互に行った。よって、液晶に印加する電圧の極性を反転できるので、液晶の配列を所定期間ごとに変化させて、表示領域の焼き付きをさらに軽減できる。
【００７９】
（４）全画面表示モードにおいて、電気光学装置１は、走査線駆動回路３０により、走査線１１０に選択電圧を線順次で供給しつつ、データ線駆動回路４０により、共通電極１５６に印加される電圧より最終的なプッシュダウン電圧の分だけ高い電圧を基準としてデータ線１２０に対して正極性および負極性の画像信号を交互に供給した。すなわち、画像信号の中心電圧Ｖｃを最終的なプッシュダウン電圧の分だけ共通電極１５６の電圧ＶＣＯＭより高くしたので、全画面表示モードでは、表示領域のフリッカや焼き付きを軽減できる。
一方、パーシャル表示モードにおいて、電気光学装置１は、走査線駆動回路３０により、走査線１１０に選択電圧を線順次で供給しつつ、データ線駆動回路４０により、共通電極１５６の電圧ＶＣＯＭを基準としてデータ線１２０に対して正極性および負極性の画像信号を交互に供給した。すなわち、共通電極１５６の電圧ＶＣＯＭと、非表示領域における画像信号の電圧と、を同一にしたので、パーシャル表示モードでは、消費電力を低減できる。
【００８０】
＜第３実施形態＞
図８は、本発明の第３実施形態に係る電気光学装置１Ｂの構成を示すブロック図である。
電気光学装置１Ｂは、液晶駆動用電源回路５０Ａにチャージポンプ回路５１を備える点が図４の電気光学装置１Ａと異なる。
【００８１】
図９は、チャージポンプ回路５１の回路図である。チャージポンプ回路５１は、液晶駆動用電源回路５０Ａに設けられ、第１のチャージポンプ単位回路５１１と、第２のチャージポンプ単位回路５１２と、を備える。
【００８２】
第１のチャージポンプ単位回路５１１は、入力端子Ａ、Ｂと、出力端子Ｃと、を備える。この第１のチャージポンプ単位回路５１１は、入力端子Ａの電圧に入力端子Ａ、Ｂ間の電位差を加えて、出力端子Ｃから出力する。つまり、第１のチャージポンプ単位回路５１１は、入力端子Ａの電圧を略２倍にして、出力端子Ｃから出力する。
【００８３】
具体的には、第１のチャージポンプ単位回路５１１は、コンデンサ５３１と、このコンデンサ５３１の一端側を入力端子Ａまたは出力端子Ｃに接続するスイッチング素子５３２と、コンデンサ５３１の他端側を入力端子Ａまたは入力端子Ｂに接続するスイッチング素子５３３と、一端側が入力端子Ａに接続され他端側が出力端子Ｃに接続されたコンデンサ５３４と、を備える。
【００８４】
スイッチング素子５３２、５３３は、互いに連動して切り替わる。すなわち、スイッチング素子５３２がコンデンサ５３１の一端側を入力端子Ａに接続した場合には、スイッチング素子５３３は、コンデンサ５３１の他端側を入力端子Ｂに接続する。一方、スイッチング素子５３２がコンデンサ５３１の一端側を出力端子Ｃに接続した場合には、スイッチング素子５３３は、コンデンサ５３１の他端側を入力端子Ａに接続する。
【００８５】
まず、スイッチング素子５３２がコンデンサ５３１の一端側を入力端子Ａに接続するとともに、スイッチング素子５３３がコンデンサ５３１の他端側を入力端子Ｂに接続する。この状態で、入力端子Ａにデジタル入力電圧ＶＤＤを供給するとともに、入力端子ＢにデジタルＧＮＤを供給する。
すると、コンデンサ５３１には、デジタル電圧ＶＤＤが充電される。
【００８６】
次に、スイッチング素子５３２、５３３をそれぞれ切り替えて、スイッチング素子５３２がコンデンサ５３１の一端側を出力端子Ｃに接続するとともに、スイッチング素子５３３がコンデンサ５３１の他端側を入力端子Ａに接続する。
すると、コンデンサ５３４には、コンデンサ５３１に充電されたデジタル電圧ＶＤＤおよび入力端子Ａから供給されたデジタル入力電圧ＶＤＤの和であるデジタル電圧２ＶＤＤが充電される。
【００８７】
以上により、第１のチャージポンプ単位回路５１１は、デジタル入力電圧ＶＤＤを略２倍のデジタル電圧２ＶＤＤに昇圧する。このデジタル電圧２ＶＤＤは、出力端子Ｃから出力されて、第２のチャージポンプ単位回路５１２に供給される。
【００８８】
第２のチャージポンプ単位回路５１２は、第１のチャージポンプ単位回路５１１と同様の構成である。すなわち、入力端子Ｂ、Ｃと、出力端子Ｄと、を備える。この第２のチャージポンプ単位回路５１２は、入力端子Ｃの電圧に入力端子Ｂ、Ｃ間の電位差を加えて、出力端子Ｄから出力する。
入力端子Ｃには、デジタル電圧２ＶＤＤが供給されるから、第２のチャージポンプ単位回路５１２は、第１のチャージポンプ単位回路５１１から供給されたデジタル電圧２ＶＤＤを略２倍、つまりデジタル入力電圧ＶＤＤの略４倍のデジタル電圧４ＶＤＤに昇圧して、出力端子Ｄから出力する。
【００８９】
上述のチャージポンプ回路５１を備える電気光学装置１Ｂでは、例えば、ＴＦＴ１５１を導通状態にする第１電圧を１６Ｖとし、ＴＦＴ１５１を半導通状態にする第２電圧を８Ｖとする。
これら８Ｖ、１６Ｖの電圧を生成するためには、チャージポンプ回路５１に、入力端子Ａから４Ｖのデジタル入力電圧を供給し、入力端子Ｂから０ＶのデジタルＧＮＤを供給する。
そして、チャージポンプ回路５１により、入力端子Ａから供給された４Ｖのデジタル入力電圧が略４倍の１６Ｖに昇圧されて、出力端子Ｄから出力される。この出力端子Ｄの電圧を第１電圧として利用する。
また、チャージポンプ回路５１により、入力端子Ａから供給された４Ｖのデジタル入力電圧が略２倍の８Ｖに昇圧されて、出力端子Ｃから出力される。この出力端子Ｃの電圧を第２電圧として利用する。
【００９０】
以上のように、チャージポンプ回路５１は、ＴＦＴ１５１を導通状態にする第１電圧と、ＴＦＴ１５１を半導通状態にする第２電圧と、を生成する。
【００９１】
本実施形態によれば、以下のような効果がある。
（５）チャージポンプ回路５１は、ＴＦＴ１５１を導通状態にする第１電圧と、ＴＦＴ１５１を半導通状態にする第２電圧と、を生成する。このため、このチャージポンプ回路５１を有する液晶駆動用電源回路が１つあれば、走査線駆動回路３０は、走査線１１０に第１電圧および第２電圧の選択電圧を供給できる。したがって、第１電圧を生成する液晶駆動用電源回路と、第２電圧を生成する液晶駆動用電源回路と、の２つの液晶駆動用電源回路を必要とする場合と比べて、回路規模や消費電力を削減できる場合がある。
【００９２】
＜第４実施形態＞
図１０は、本発明の第４実施形態に係る電気光学装置１Ｃの構成を示すブロック図である。
電気光学装置１Ｃは、走査線駆動回路３０Ａにより、第２電圧の電位と、第２電圧を供給する期間と、を調整できる点が図４の電気光学装置１Ａと異なる。
【００９３】
走査線駆動回路３０Ａは、正極性書込または負極性書込の極性に応じて、走査線１１０に供給する第２電圧の電位を調整する。具体的には、走査線駆動回路３０Ａは、負極性書込における第２電圧を、正極性書込における第２電圧よりも低い電位に調整する。
【００９４】
また、走査線駆動回路３０Ａは、正極性書込または負極性書込の極性に応じて、上述の第２電圧を供給する期間を調整する。具体的には、走査線駆動回路３０Ａは、負極性書込において第２電圧を供給する期間を、正極性書込において第２電圧を供給する期間よりも短くする。
【００９５】
図１１は、電気光学装置１Ｃのパーシャル表示モードにおけるタイミングチャートである。
パーシャル表示モードにおける電気光学装置１Ａと対比するため、パーシャル表示モードにおける電気光学装置１Ｃの正極性書込時の１水平ラインの選択期間は、上述のパーシャル表示モードにおける電気光学装置１Ａの正極性書込時の１水平ラインの選択期間に等しくなっている。具体的には、図１１の時刻ｔ３１からｔ３２までの期間は、図７の時刻ｔ２１からｔ２２までの期間に等しくなっている。また、図１１の時刻ｔ３２からｔ３３までの期間は、図７の時刻ｔ２２からｔ２３までの期間に等しくなっている。
一方、パーシャル表示モードにおける電気光学装置１Ｃの負極性書込時の１水平ラインの選択期間は、上述のパーシャル表示モードにおける電気光学装置１Ａの負極性書込時の１水平ラインの選択期間と異なっている。具体的には、図１１の時刻ｔ３４からｔ３５までの期間は、図７の時刻ｔ２４からｔ２５までの期間に等しくなっているが、図１１の時刻ｔ３５からｔ３６までの期間は、図７の時刻ｔ２５からｔ２６までの期間の半分の期間になっている。
なお、図１１においては、理解を容易にするため、正極性書込においても、負極性書込においても、同じ階調で書き込んでいる。
【００９６】
まず、時刻ｔ３１からｔ３２までの期間、第１の正極性書込を行う。すなわち、走査線駆動回路３０により、選択電圧として第１電圧を走査線１１０Ａに供給して、走査線１１０Ａの電圧ＧＡＴＥ１をＶｇＨ１とし、この走査線１１０Ａに係る１水平ラインのＴＦＴ１５１を全て導通状態にする。
同時に、データ線駆動回路４０により、共通電極１５６の電圧ＶＣＯＭよりも高い電圧でデータ線１２０Ａに画像信号を供給して、導通状態のＴＦＴ１５１を介して、画素電極１５５に画像データを書き込む。すると、画素電極１５５の電圧ＰＩＸ１はＶＰ１１となり、この電圧ＶＰ１１と共通電極１５６の電圧ＶＣＯＭとの電位差が液晶に印加される。
【００９７】
次に、時刻ｔ３２において、走査線駆動回路３０により、選択電圧として第２電圧を走査線１１０Ａに供給して、走査線１１０Ａの電圧ＧＡＴＥ１をＶｇＨ２とし、この走査線１１０Ａに係る１水平ラインのＴＦＴ１５１を全て半導通状態にする。すると、ＴＦＴ１５１が導通状態から半導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１３となり、この電圧ＶＰ１３と共通電極１５６の電圧ＶＣＯＭとの電位差が液晶に印加される。
【００９８】
次に、時刻ｔ３２からｔ３３までの期間、第２の正極性書込を行う。すなわち、走査線駆動回路３０により、選択電圧として第２電圧を走査線１１０Ａに供給して、走査線１１０Ａの電圧ＧＡＴＥ１をＶｇＨ２とし、この走査線１１０Ａに係る１水平ラインのＴＦＴ１５１を全て半導通状態にする。
同時に、データ線駆動回路４０により、共通電極１５６の電圧ＶＣＯＭよりも高い電圧でデータ線１２０Ａに画像信号を供給して、半導通状態のＴＦＴ１５１を介して、画素電極１５５に画像データを書き込む。すると、ＴＦＴ１５１が半導通状態である期間に、画素電極１５５の電圧ＰＩＸ１は回復してＶＰ１２となり、この電圧ＶＰ１２と共通電極１５６の電圧ＶＣＯＭとの電位差が液晶に印加される。
【００９９】
次に、時刻ｔ３３において、走査線駆動回路３０により、走査線１１０Ａの電圧ＧＡＴＥ１をＶｇＬとし、この走査線１１０Ａに係る１水平ラインのＴＦＴ１５１を全て非導通状態にする。すると、ＴＦＴ１５１が半導通状態から非導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１４となり、この電圧ＶＰ１４と共通電極１５６の電圧ＶＣＯＭとの電位差が液晶に印加される。
【０１００】
次に、時刻ｔ３４からｔ３５までの期間、第１の負極性書込を行う。すなわち、走査線駆動回路３０により、選択電圧として第１電圧を走査線１１０Ａに供給して、走査線１１０Ａの電圧ＧＡＴＥ１をＶｇＨ１とし、この走査線１１０Ａに係る１水平ラインのＴＦＴ１５１を全て導通状態にする。
同時に、データ線駆動回路４０により、共通電極１５６の電圧ＶＣＯＭよりも低い電圧でデータ線１２０Ａに画像信号を供給して、導通状態のＴＦＴ１５１を介して、画素電極１５５に画像データを書き込む。すると、画素電極１５５の電圧ＰＩＸ１はＶＰ１６となり、この電圧ＶＰ１６と共通電極１５６の電圧ＶＣＯＭとの電位差が液晶に印加される。
【０１０１】
次に、時刻ｔ３５において、走査線駆動回路３０により、選択電圧として上述の第２電圧の電圧を低くしたものを走査線１１０Ａに供給して、走査線１１０Ａの電圧ＧＡＴＥ１をＶｇＨ２より低く、正極性書込における画像信号ＤＡＴＡ１より高いＶｇＨ３とし、この走査線１１０Ａに係る１水平ラインのＴＦＴ１５１を全て半導通状態にする。すると、ＴＦＴ１５１が導通状態から半導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１８となり、この電圧ＶＰ１８と共通電極１５６の電圧ＶＣＯＭとの電位差が液晶に印加される。
【０１０２】
次に、上述の時刻ｔ３２からｔ３３までの期間の半分の期間である時刻ｔ３５からｔ３６までの間、第２の負極性書込を行う。すなわち、走査線駆動回路３０により、選択電圧として第２電圧の電位を低くしたものを走査線１１０Ａに供給して、走査線１１０Ａの電圧ＧＡＴＥ１をＶｇＨ３とし、この走査線１１０Ａに係る１水平ラインのＴＦＴ１５１を全て半導通状態にする。
同時に、データ線駆動回路４０により、共通電極１５６の電圧ＶＣＯＭよりも高い電圧でデータ線１２０Ａに画像信号を供給して、半導通状態のＴＦＴ１５１を介して、画素電極１５５に画像データを書き込む。すると、ＴＦＴ１５１が半導通状態である期間に、画素電極１５５の電圧ＰＩＸ１は回復してＶＰ１７となり、この電圧ＶＰ１７と共通電極１５６の電圧ＶＣＯＭとの電位差が液晶に印加される。
【０１０３】
次に、時刻ｔ３６において、走査線駆動回路３０により、走査線１１０Ａの電圧ＧＡＴＥ１をＶｇＬとし、この走査線１１０Ａに係る１水平ラインのＴＦＴ１５１を全て非導通状態にする。すると、ＴＦＴ１５１が半導通状態から非導通状態に変化する際に、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。したがって、画素電極１５５の電圧ＰＩＸ１は低下してＶＰ１９となり、この電圧ＶＰ１９と共通電極１５６の電圧ＶＣＯＭとの電位差が液晶に印加される。
【０１０４】
本実施形態によれば、以下のような効果がある。
（６）ＴＦＴ１５１の特性により、第２の正極性書込を行う場合と、第２の負極性書込を行う場合とでは、画素電極１５５の電圧ＰＩＸ１の回復する電位が異なる場合がある（図７参照）。
電気光学装置１Ｃは、走査線駆動回路３０Ａにより、負極性書込における第２電圧を、正極性書込における第２電圧よりも低い電位に調整した。これにより、第２電圧によるＴＦＴ１５１の半導通状態のレベルを調整して、第２の負極性書込における画素電極１５５の電圧ＰＩＸ１の回復する電位を変化させることができる。したがって、負極性書込におけるプッシュダウン電圧を低減できる。
【０１０５】
（７）電気光学装置１Ｃは、走査線駆動回路３０Ａにより、負極性書込において第２電圧を走査線に供給する期間を、正極性書込において第２電圧を供給する期間の半分にした。これにより、第１電圧によるＴＦＴ１５１の導通状態と、第２電圧によるＴＦＴ１５１の半導通状態とのバランスを調整して、第２の負極性書込における画素電極１５５の電圧ＰＩＸ１の回復する電位を変化させることができる。したがって、負極性書込におけるプッシュダウン電圧を低減できる。
【０１０６】
＜変形例＞
なお、本発明は前記実施形態に限定されるものではなく、本発明の目的を達成できる範囲での変形、改良等は本発明に含まれるものである。
例えば、上述の各実施形態では、チャージポンプ回路５１は、デジタル入力電圧の略４倍までのデジタル電圧を出力できるものとしたが、これに限らず、例えば、略８倍までのデジタル電圧を出力できるものであってもよい。
【０１０７】
また、本実施形態では、データ線駆動回路４０は、１Ｈ反転駆動方式で駆動されるものとしたが、これに限らず、例えば、交流電圧を用いて１画素ごとに交互に正極性書込または負極性書込を行うドット反転駆動方式で駆動されるものであってもよい。
【０１０８】
また、例えば、上述した各実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro-Luminescent）や発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、あるいは、ヘリウムやネオン等の高圧ガスを電気光学物資として用いたプラズマディスプレイパネルなど各種の電気光学装置に対しても、上記実施形態と同様に本発明が適用され得る。
【０１０９】
＜応用例＞
次に、上述した実施形態に係る電気光学装置１を適用した電子機器について説明する。
図１２は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【０１１０】
なお、電気光学装置１が適用される電子機器としては、図１２に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【０１１１】
【図１】本発明の第１実施形態に係る電気光学装置の構成を示すブロック図である。
【図２】前記電気光学装置の液晶パネルの部分拡大平面図である。
【図３】前記電気光学装置のタイミングチャートである。
【図４】本発明の第２実施形態に係る電気光学装置の構成を示すブロック図である。
【図５】前記電気光学装置のパーシャル表示モードにおける液晶パネルの表示画面を示す図である。
【図６】前記電気光学装置の全画面表示モードにおけるタイミングチャートである。
【図７】前記電気光学装置のパーシャル表示モードにおけるタイミングチャートである。
【図８】本発明の第３実施形態に係る電気光学装置の構成を示すブロック図である。
【図９】前記電気光学装置のチャージポンプ回路の回路図である。
【図１０】本発明の第４実施形態に係る電気光学装置の構成を示すブロック図である。
【図１１】前記電気光学装置のパーシャル表示モードにおけるタイミングチャートである。
【図１２】前記電気光学装置を適用した携帯電話の構成を示す斜視図である。
【符号の説明】
【０１１２】
１、１Ａ、１Ｂ、１Ｃ…電気光学装置、３０、３０Ａ…走査線駆動回路、４０…データ線駆動回路、５０、５０Ａ…液晶駆動用電源回路（電源回路）、５１…チャージポンプ回路、１１０、１１０Ａ、１１０Ｂ、１１０Ｃ…走査線、１２０、１２０Ａ、１２０Ｂ…データ線、１５０…画素、１５１…ＴＦＴ（スイッチング素子）、１５５…画素電極、１５６…共通電極、３０００…携帯電話機（電子機器）。
【図１】
2007212605.tif 000003
【図２】
2007212605.tif 000004
【図３】
2007212605.tif 000005
【図４】
2007212605.tif 000006
【図５】
2007212605.tif 000007
【図６】
2007212605.tif 000008
【図７】
2007212605.tif 000009
【図８】
2007212605.tif 000010
【図９】
2007212605.tif 000011
【図１０】
2007212605.tif 000012
【図１１】
2007212605.tif 000013
【図１２】
2007212605.tif 000014